【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
複数の端子を有する第１端子部と、前記第１端子部と隣り合うように配置された複数の端子を有する第２端子部と、を備えた電気光学パネルと、
前記第１端子部と電気的に接続されるべく複数の接続端子を有する第１接続端子部が設けられた第１回路基板と、前記第２端子部と電気的に接続されるべく複数の接続端子を有する第２接続端子部が設けられた第２回路基板と、
を有し、
前記第１端子部は離間する第１端子と第２端子とを有し、前記第２端子部は離間する第３端子と第４端子とを有し、前記第１端子と前記第４端子、及び、前記第２端子と前記第３端子が、前記電気光学パネルに設けられた第１接続配線及び第２接続配線を介してそれぞれ電気的に接続されており、
前記第１回路基板は、前記第１接続端子部を介して前記第１端子と電気的に接続される第１外部端子と、前記第２端子と電気的に接続される第２外部端子とを有し、
前記第２回路基板は、前記第２接続端子部を介して前記第３端子と電気的に接続される第３外部端子と、前記第４端子と電気的に接続される第４外部端子とを有することを特徴とする電気光学装置。
【請求項２】
請求項１に記載の電気光学装置であって、
前記第１接続配線及び前記第２接続配線の一部は、表示領域の周囲において引き回されて配置されていることを特徴とする電気光学装置。
【請求項３】
請求項１又は請求項２に記載の電気光学装置であって、
前記複数の端子は、一定の方向に沿って配列した端子群を構成しており、
前記第１端子と前記第２端子、及び、前記第３端子と前記第４端子は、前記端子群の前記一定の方向における両端側に設けられていることを特徴とする電気光学装置。
【請求項４】
請求項１乃至請求項３のいずれか一項に記載の電気光学装置であって、
前記第１端子部及び前記第２端子部は、前記電気光学パネルの第１辺及び前記第１辺と交差する方向の第２辺の少なくとも一方に設けられていることを特徴とする電気光学装置。
【請求項５】
請求項１乃至請求項４のいずれか一項に記載の電気光学装置であって、
前記電気光学パネルは、複数の端子を有する第３端子部と、前記第３端子部と隣り合うように配置された複数の端子を有する第４端子部と、前記第３端子部と電気的に接続されるべく複数の接続端子を有する第３接続端子部が設けられた第３回路基板と、前記第４端子部と電気的に接続されるべく複数の接続端子を有する第４接続端子部が設けられた第４回路基板と、を備え、
前記第３端子部は、前記第１端子部が設けられた位置と前記電気光学パネルの端部との間に設けられ、前記第４端子部は、前記第２端子部が設けられた位置と前記電気光学パネルの端部との間にそれぞれ設けられ、
前記第３端子部は離間する第５端子と第６端子とを有し、前記第４端子部は離間する第７端子と第８端子とを有し、前記第５端子と前記第８端子、及び、前記第６端子と前記第７端子が、前記電気光学パネルに設けられた第３接続配線及び第４接続配線を介してそれぞれ電気的に接続されており、
前記第３回路基板は、前記第３接続端子部を介して前記第５端子と電気的に接続される第５外部端子と、前記第６端子と電気的に接続される第６外部端子と、を有し、
前記第４回路基板は、前記第４接続端子部を介して前記第７端子と電気的に接続される第７外部端子と、前記第８端子と電気的に接続される第８外部端子と、を有することを特徴とする電気光学装置。
【請求項６】
請求項５に記載の電気光学装置であって、
前記第３接続配線は、表示領域の周囲において引き回されて配置されていることを特徴とする電気光学装置。
【請求項７】
請求項５又は請求項６に記載の電気光学装置であって、
前記複数の端子は、一定の方向に沿って配列した端子群を構成しており、
前記第５端子と前記第６端子、及び、前記第７端子と前記第８端子は、前記端子群の前記一定の方向における両端側に設けられていることを特徴とする電気光学装置。
【請求項８】
複数の端子を有する第１端子部と、前記第１端子部に対して表示領域と反対側に配置された複数の端子を有する第３端子部と、を備えた電気光学パネルと、
前記第１端子部と電気的に接続されるべく複数の接続端子を有する第１接続端子部が設けられた第１回路基板と、前記第３端子部と電気的に接続されるべく複数の接続端子を有する第３接続端子部が設けられた第３回路基板と、
を有し、
前記第１端子部は離間する第１端子と第２端子とを有し、前記第３端子部は離間する第５端子と第６端子とを有し、前記第１端子と前記第５端子、及び、前記第２端子と前記第６端子が前記電気光学パネルに設けられた第５接続配線及び第６接続配線を介してそれぞれ電気的に接続されており、
前記第１回路基板は、前記第１接続端子部を介して前記第１端子と電気的に接続される第１外部端子と、前記第２端子と電気的に接続される第２外部端子とを有し、
前記第３回路基板は、前記第３接続端子部を介して前記第５端子と電気的に接続される第５外部端子と、前記第６端子と電気的に接続される第６外部端子とを有することを特徴とする電気光学装置。
【請求項９】
請求項８に記載の電気光学装置であって、
前記第５接続配線及び前記第６接続配線は、前記表示領域よりも前記電気光学パネルの端部側に設けられていることを特徴とする電気光学装置。
【請求項１０】
請求項８又は請求項９に記載の電気光学装置であって、
前記複数の端子は、一定の方向に沿って配列した端子群を構成しており、
前記第１端子と前記第２端子、及び、前記第５端子と前記第６端子は、前記端子群の前記一定の方向における両端側に設けられていることを特徴とする電気光学装置。
【請求項１１】
基板上に、
離間して設けられた第１端子と第２端子とを含む複数の端子を有する第１端子部と、
前記第１端子部と隣り合うように配置され、離間して設けられた第３端子と第４端子とを含む複数の端子を有する第２端子部と、
前記基板の一辺と前記第１端子部との間に配置され、離間して設けられた第５端子と第６端子とを含む複数の端子を有する第３端子部と、
前記基板の前記一辺と前記第２端子部との間に配置され、離間して設けられた第７端子と第８端子とを含む複数の端子を有する第４端子部と、
前記第１端子と前記第４端子とを電気的に接続する第１接続配線と、
前記第１端子と前記第５端子とを電気的に接続する第５接続配線と、
前記第２端子と前記第６端子とを電気的に接続する第６接続配線と、
前記第３端子と前記第７端子とを電気的に接続する第７接続配線と、
前記第４端子と前記第８端子とを電気的に接続する第８接続配線と、
前記第６接続配線と前記第７接続配線とを電気的に接続することにより前記第２端子、前記第３端子、前記第６端子及び前記第７端子を電気的に接続する第９接続配線と、
を備えることを特徴とする電気光学パネル。
【請求項１２】
請求項１１に記載の電気光学パネルと、
前記第１端子部と電気的に接続されるべく複数の接続端子を有する第１接続端子部が設けられ、前記第１接続端子部を介して前記第１端子と接続される第１外部端子と、前記第２端子と接続される第２外部端子とを有する第１回路基板と、
前記第２端子部と電気的に接続されるべく複数の接続端子を有する第２接続端子部が設けられ、前記第２接続端子部を介して前記第３端子と接続される第３外部端子と、前記第４端子と接続される第４外部端子とを有する第２回路基板と、
前記第３端子部と電気的に接続されるべく複数の接続端子を有する第３接続端子部が設けられ、前記第３接続端子部を介して前記第５端子と電気的に接続される第５外部端子と、前記第６端子と電気的に接続される第６外部端子とを有する第３回路基板と、
前記第４端子部と電気的に接続されるべく複数の接続端子を有する第４接続端子部が設けられ、前記第４接続端子部を介して前記第７端子と電気的に接続される第７外部端子と、前記第８端子と電気的に接続される第８外部端子とを有する第４回路基板と、
を備えること特徴とする電気光学装置。
【請求項１３】
請求項１乃至請求項１０及び請求項１２のいずれか一項に記載の電気光学装置を備えたことを特徴とする電子機器。